(57)【特許請求の範囲】
【請求項１】
ロードチェーンを巻上下げする巻上装置の本体と、ロードチェーンの下端に取設した下フック基部間に、ロードチェーンを被覆する伸縮被覆体を設けた巻上装置における粉塵飛散防止装置において、前記伸縮被覆体とロードチェーン間に前記伸縮被覆体をガイドする線条ガイド体を設け、前記伸縮被覆体の上部を上部フレームに、下部を下部フレームに取り付け、前記上部フレームを巻上装置本体に取り付けられる取付けフレームに取設し、前記線状ガイド体の巻取装置を前記取付けフレームに取設し、一体的な伸縮被覆体ユニットを形成したことを特徴とする巻上装置における粉塵飛散防止装置。
【請求項２】
前記取付けフレームは、上部が開放する箱状体のチリ受けであることを特徴とする請求項１記載の巻上装置における粉塵飛散防止装置。
【請求項３】
前記巻取装置を、水平方向に回転するように設けたことを特徴とする請求項２記載の巻上装置における粉塵飛散防止装置。
【請求項４】
上部が幅広で、下部は幅狭の無負荷チェーン収納バケットを、伸縮被覆体の上下伸縮動作時において、伸縮被覆体と干渉せず、かつ伸縮被覆体と近接して取付けフレームに取設したことを特徴とする請求項１〜３いずれかに記載の巻上装置における粉塵飛散防止装置。
【発明の詳細な説明】
【技術分野】
【０００１】
本発明は、クリーンルーム等に設置される天井走行クレーンの粉塵飛散防止装置に関する。
【背景技術】
【０００２】
近年、半導体製造装置、液晶製造装置及び食品製造、加工装置に代表される各種製品の製造装置においては、クリーンルームが設備され、クリーンルーム内で部品や製品の搬送及び装置のメンテナンスを行うため、天井走行クレーンが設置されている。しかし、天井走行クレーンは、巻上機のロードチェーンやワイヤロープやドラム等の磨耗による粉塵が発生する場合があり、クリーンルーム内に天井走行クレーンを設備する場合には、粉塵の飛散を防止する手段が講じられている。（例えば、特許文献１参照）
以下、特許文献１である図７を参照して、従来の天井走行クレーンにおける粉塵飛散防止装置について説明する。図７に示す天井走行クレーンは、巻取りドラム４０を備えた巻上機３１を支持する横行用トロリのフレーム３２の下部に、そのフレーム３２の開口部３３を通って垂下している巻上用ワイヤロープ３４を囲む伸縮被覆筒３５が設けられ、その伸縮被覆筒３５の上端部は前記フレーム３２における開口部３３の周囲に固定され、伸縮被覆筒３５の下端部に取付けられた低部蓋３６に、前記ワイヤロープ３４により支持されている吊りフック３７の軸部が挿通され、伸縮被覆筒３５により、ワイヤロープ３４、巻取りドラム４０等で発生する粉塵等の飛散を防止するものである。この飛散防止装置は、粉塵を伸縮被覆筒３５内に落下させて収容し、飛散を防止することができるが、伸縮被覆筒３５は、図７に示すように、トロリのフレーム３２に直接取付けられているため、高所等における取付け時には、改造工数が多くなり、また、一方ワイヤロープ３４との接触を防止するため、形態保持用の多数の環状金属線３８いわゆる保護リングを有するジャバラ体を備えているため、伸縮被覆筒３５の伸縮率が低下し、巻上時におけるデットスペースが大きくなる。
【特許文献１】実開昭６１−１６０１８５公報（３〜５頁・図５）
【発明の開示】
【発明が解決しようとする課題】
【０００３】
上記した通り、従来のクリーンルームに設置される走行クレーンの粉塵飛散防止装置は、伸縮被覆筒３５の上端部には取付金具が設けられ、この取付金具をトロリーのフレーム３２の開口部３３の周囲に取付けることにより伸縮被覆筒３５のフレーム３２への取設が行われていた。そのため、矛め伸縮被覆筒３５を備えていない巻上装置に伸縮被覆筒３５を取設する場合には、フレーム３２に取付金具を取設するための加工が必要となり、高所に設置されているホイスト等の巻上装置に前記取付金具を取設するためには、ホイスト等を高所から床まで下ろし、本体フレームに加工を施す必要があり、改造工数、コスト増の原因となるという課題を有していた。また、伸縮被覆体の伸縮動作時に、無負荷チェーン収納バケットと干渉し、伸縮動作を障害するという課題を有していた。また、伸縮被覆筒には環状金属線の保護リングが狭ピッチで設けられているため、伸縮率が悪く、収縮時においてはデッドスペースが大きくなるという課題を有していた。また、ロードチェーンが傾斜した場合においては、伸縮被覆筒がロードチェーンと接触し、伸縮被覆筒の素地が損傷する場合が発生するという課題を有していた。
【課題を解決するための手段】
【０００４】
上記課題を解決するため、本発明の巻上装置における粉塵飛散防止装置は、ロードチェーンを巻上下げする巻上装置の本体と、ロードチェーンの下端に取設した下フック基部間に、ロードチェーンを被覆する伸縮被覆体を設けた巻上装置における粉塵飛散防止装置において、前記伸縮被覆体とロードチェーン間に前記伸縮被覆体をガイドする線条ガイド体を設け、前記伸縮被覆体の上部を上部フレームに、下部を下部フレームに取り付け、前記上部フレームを巻上装置本体に取り付けられる取付けフレームに取設し、前記線状ガイド体の巻取装置を前記取付けフレームに取設し、一体的な伸縮被覆体ユニットを形成したことを特徴とする巻上装置における粉塵飛散防止装置を提供する。
【０００５】
さらに、前記取付けフレームは、上部が開放する箱状体のチリ受けであることを特徴とし、巻取装置を、水平方向に回転するように設けたことを特徴とする。
【０００６】
さらに、上部が幅広で、下部は幅狭の無負荷チェーン収納バケットを、伸縮被覆体の上下伸縮動作時において、伸縮被覆体と干渉せず、かつ伸縮被覆体に近接して取付けフレームに取設したことを特徴とする。
【発明の効果】
【０００７】
本発明によると、伸縮被覆体は、上部を上部フレームに、下部を下部フレームに取り付け、上部フレームを巻上装置本体に取り付けられる取付けフレームに取設し、一体的な伸縮被覆体ユニットを形成し、さらに、取付けフレームに、伸縮被覆体とロードチェーン間に設けられ、伸縮被覆体をガイドするガイド体の巻取装置を一体的にユニットとして取着し、伸縮被覆体としてユニット化したので、取付けフレームを例えればモータの取り付けボルトに共締めするだけで、伸縮被覆体を巻上装置本体に装着できるので、改造工数、コストを大幅に低減でき、かつ、既存のホイストにも粉塵飛散対策を容易にかつ安価で設置でき、また、上部フレームを、巻上装置本体に取設され、上部が開放する箱状体のチリ受けの下部に取設し、下部フレームを下フック基部に取設し、巻上機の駆動時に発生する粉塵等をチリ受けで集塵できるようにしたので、クリーンルームに好適な巻上機を提供でき、かつ、チリ受けに伸縮被覆体を直接取り付けたので、部品点数を軽減できる。さらに、チリ受けの上部を開放したので、巻取装置を容易に目視でき、故障の有無を容易に発見できる。さらに、チリ受け及び伸縮被覆体からなる粉塵防止装置全体を一体化したことで、粉塵飛散防止装置を有する粉塵防止装置を簡単に既存の巻上装置に取り付けることができる。さらに、伸縮被覆体の伸縮動作に無負荷チェーンバケットが干渉しないので、伸縮被覆体の伸縮動作を確実に行うことができ、チェーンバケットがデットスペースとならないコンパクトな巻上装置を提供できる。さらに、伸縮被覆体は、ロードチェーンの上下動に連動して、ロードチェーンを包被する状態で、下フックの下降位置から上昇位置間で略ジャバラ状に伸縮し、伸縮動作時にロードチェーンと伸縮被覆体間には、下部が下部フレームに係着されて、ロードチェーンの動きに連動して上下動する複数本のガイド体が設けられているため、伸縮被覆体は伸縮動作時において、ガイド体には接触してもロードチェーンとは接触しないため、伸縮被覆体の損傷を防止することができる。
【発明を実施するための最良の形態】
【０００８】
（実施例１）
以下、図１〜図６を参照して本発明の巻上装置における粉塵飛散防止装置の実施例１について説明する。図１は本発明の実施例１の粉塵飛散防止装置の正面図、図２は図１の側面図、図３は伸縮被覆体ユニットを示す正面図、図４は図３の側面図、図５は下フック取付部を示す側面図、図６はチェーン収納バケットを示す側面図である。
【０００９】
図において、１はレール、２はレール１上を走行するトロリー、３はロードチェーン巻上用ロードシーブを搭載するホイスト、４はロードチェーン、５はトロリー走行用モータ、６はホイスト駆動用モータである。ロードチェーン４は、下端に下フック７が固設され、ホイスト３に設けたロードシーブ８に巻取られる。９はホイスト３の下部に設けられ、ホイスト３と下フック７の基部間で、ロードチェーン４を被覆し、ジャバラ状に伸縮する被覆体で、その上部は上部フレーム１０に、下部は下部フレーム１１に取設され、上部フレーム１０を巻上装置本体に取り付けられる取付けフレーム１３に取設し、一体的な伸縮被覆体ユニットを構成する。１２ａは取付けフレーム１３に一体的に設けられ、伸縮被覆体９をロードチェーンと接触しないようにガイドする線状のガイド１４を巻取る巻取装置である。上部フレーム１０には、ロードチェーン４及びガイド体１４が通る開口部（図示せず）が設けられている。また、前記した通り、上部フレーム１０には、ロードチェーン４の被覆体である伸縮被覆体９の上端が密接した状態で取付けられており、伸縮被覆体９の下端は、下フック７の上端基部に固設された下部ブラケット１５に取着された下部フレーム１１の外側に密接した状態で取付けられている。伸縮被覆体９はロードチェーン４の外側でロードチェーン４の吊下部全体を包被する。下部フレーム１１には線状のガイド体１４の下端が係止される係止部１６が設けられている。伸縮被覆体９は薄い素材からなり、略ジャバラ状に伸縮するようになっている。１７は下フック取付金具で、下フック７の上端と取付金具１７の下部内面とは、凹凸嵌合して回転自在に連結しており、下フック取付金具１７の上部にはロードチェーン４の下端部が固装され、取付けボルト１８を締着することにより、下フック取付金具１７の下端には、下フック７が、上端には、ロードチェーンが連結され、また、取付けボルト１８は締着時に、下部ブラケット１５を共締めすることにより、下部ブラケット１５も下フック取付金具１７と一体的に連結される。
【００１０】
また、巻取装置１２ａは、図３、図４に示すように、ガイド体１４を巻取る少なくとも左右一対の巻取りローラからなり、前記巻取装置１２ａから送出されるガイド１４をガイドする少なくとも左右一対のガイドローラ１９を近傍に備え、これらは取付フレーム１３内に収納される。そして取付フレーム１３の上部は取付けブラケット２０の下面に、下部は上部フレーム１０の上面に、それぞれ固設されている。
【００１１】
また、上記実施の形態において、ガイド体の巻取装置１２ａを設けているが、伸縮被覆体とロードチェーンの接触が無い場合においては、巻取装置１２ａやガイド体１４を設ける必要がなく、この場合は、上部フレーム１０は直接取付けブラケット２０に取設される。
【００１２】
また、図２に示すように、伸縮被覆体９に近接して、上部が幅広で、下部は幅狭の無負荷チェーン収納バケット２１が設けられている。このようにすることによって、前記無負荷チェーン収納バケット２１は伸縮被覆体９の上下伸縮動作時において、伸縮被覆体９と干渉しないようにすることができる。また図６に示すように、チェーン収納バケット上端を、上端部側面から巻上装置本体側に延出する延出部を有するバケット取着ブラケット２２に取設し、前記延出部が前記取付けブラケット２０に固装される。また、ガイド体１４はロードチェーン４と伸縮被覆体９間に数本設けられ、好ましくは４本設けられ、巻取装置１２ａである巻取ローラにより、ロードチェーン４の巻上げ巻下げ動作に同調して自動的に上下動するように、巻取装置１２ａにより常時巻取り方向にテンションが加えられてる。伸縮被覆体９は、ロードチェーン４の巻上げ巻下げ動作により、下フック７の下降位置から上昇位置間でジャバラ状に伸縮する。伸縮被覆体９は、この上下伸縮動作時に、ロードチェーン４と伸縮被覆体９間に設けたガイド体１４によるガイド作用により、ロードチェーン４との接触が防止されるので、伸縮被覆体９の損傷を防止でき、また、伸縮被覆体９の素地を薄い布製とすることができるため、伸縮被覆体９の伸縮率を大きくでき、さらに、伸縮被覆体９の収縮時における下フック７のデット寸法を小さくすることができる。また、ガイド体１４は、巻取装置１２により常時巻取方向にテンションが加えられているため、ガイド体１４は常時緊張しており、ロードチェーン４と伸縮被覆体９の接触を確実に防止でき、伸縮被覆体９の損傷を防止することができる。
【００１３】
上記した通り、本実施の形態によると、伸縮被覆体９は、矛め上部を上部フレームに、下部を下部フレームに取設し、上部フレームを巻上装置本体に取り付けられる取付けフレームに取り付け一体的なユニットとして、さらに、上部フレームと取付けフレーム間に、伸縮被覆体をガイドするガイド体の巻取装置を一体的にユニットとして取着し、伸縮被覆体９のユニットとしたので、取付けフレーム１３を例えばホイスト駆動用モーターの取り付けボルトに共締めするだけで、伸縮被覆体ユニットを巻上装置本体に取設できるので、改造工数、コストを大幅に低減でき、かつ、既存のホイストにも容易にかつ安価に設置できる粉塵飛散防止装置を提供することができる。さらに、伸縮被覆体９の伸縮動作時に、チェーン収納バケットは伸縮被覆体９と干渉しないので、伸縮被覆体９の伸縮動作を確実に行うことができ、かつ、チェーン収納バケット２がデットスペースとならないコンパクトな巻上装置を提供できる。さらに、伸縮被覆体９の下部を下部ブラケット１５に容易に取り付けることができるため、改造コストを低減できる。さらに、伸縮被覆体９は、ロードチェーン４の上下動に連動して、ロードチェーン４を包被する状態で、下フック７の下降位置から上昇位置間で略ジャバラ状に伸縮するが、伸縮動作時に、ロードチェーン４と伸縮被覆体９間には、下部が下部フレーム１１に係着されて、ロードチェーン４に連動して上下動する複数本のガイド体１４が設けられているため、伸縮被覆体９は伸縮動作時において、ガイド体１４には接触してもロードチェーン４とは接触しないため、伸縮被覆体９の損傷を防止することができる。
【００１４】
（実施例２）
以下、図７〜図１０を参照して、本発明の巻上装置における粉塵飛散防止装置の実施例２について説明する。
【００１５】
図７は本発明の実施例２の粉塵飛散防止装置の正面図、図８は図７の側面図、図９はチリ受け部の平面図、図１０は巻取りローラの設置状態を示す正面図である。図において、１〜８に示す構成は実施例１と同一構成であり説明を省略する。９はホイスト３の本体下部に設けられ、ホイストと下フック７の基部間で、ロードチェーン４を被覆し、ジャバラ状に伸縮する被覆体である。被覆体９の上部は上部フレーム１０に、下部は下部フレーム１１に取り付けられ、上部フレーム１０を巻上装置本体に取り付けられるチリ受け２３の下部に取設し、一体的な被覆体ユニットを構成する。１２ｂは後記するチリ受け２３に取設された支持ブラケット２４に軸支され、伸縮被覆体９をロードチェーンと接触しないようにガイドする線状のガイド体１４を巻取る巻取装置である。上部フレーム１０には、ロードチェーン４及びガイド体１４が通る開口部（図示せず）が設けられている。また、前記した通り、上部フレーム１０には、ロードチェーン４の被覆体である伸縮被覆体９の上端が密接した状態で取付けられており、伸縮被覆体９の下端は、下フック７の上端基部に固設された下部ブラケット１５に取着された下部フレーム１１の外側に密接した状態で取付けられている。伸縮被覆体９はロードチェーン４の外側でロードチェーン４の吊下部全体を包被する。１７は下フック取付金具で、下フック７の上端と取付金具１７の下部内面とは、凹凸嵌合して回転自在に連結しており、下フック取付金具１７にはロードチェーン４が通過可能にシーブ等で支持され、取付けボルト１８を締着することにより、下フック取付金具１７の下端には、下フック７が、上端には、ロードチェーンが連結され、また、取付けボルト１８は締着時に、下部ブラケット１５を共締めすることにより、下部ブラケット１５も下フック取付金具１７と一体的に連結される。
【００１６】
また、巻取装置１２ａは、図７、図８に示すように、チリ受け２３に設けた支持ブラケット２４に軸支され、ガイド体１４を巻取る少なくとも左右一対の巻取りローラからなる。また、図１０に示すように、ガイド体１４を、横向きにして水平方向に回転する巻取りローラ１２ｃで巻き取るようにすることもできる。
【００１７】
このように、巻取り装置であるガイドローラ１２ｃを水平に回転するようにチリ受け２３に配置することで、チリ受け２３を巻上装置本体に接近して設けることができるため、下フックが巻上される限界位置を高くすることが可能となり、巻上装置全体の上下方向のデッドスペースを減少することができる効果を有する。
【００１８】
また、図９において、２３ａはチリ受けを補強するための補強リブ、２４は巻取りローラ１２ａの支持ブラケットで、本実施例では、巻取りローラ１２ａは４個設けられている。２５はロードチェーン４及びガイド体１４が通る開口部、２６はチリ受け２３を巻上装置本体に取り付けるための取付用ブラケットである。この取付用ブラケット２６はチリ受け２３の両側部に固着され、両側部からＬ字状に上方に延びる取付部２６ａを有し、取付部２６ａをモータカバー２８と電装品カバー２７の取り付けボルトに共締めして、巻上装置本体に取設することで、チリ受け２３は巻上装置本体に容易に取り付けられる。
【００１９】
また、図８に示すように、本実施例２は実施例１と同様に、伸縮被覆体９に近接して、チリ受け２３に上部が幅広で、下部は幅狭の無負荷チェーン収納バケット２１が設けられている。このようにすることによって、前記無負荷チェーン収納バケット２１は伸縮被覆体９の上下伸縮動作時において、伸縮被覆体９と干渉しないようにすることができる。また図６に示すように、チェーン収納バケット上部を、バケット取着ブラケット２２に取設し、前記ブラケット２２を前記チリ受け２３に固装することによって、バケット２１はチリ受け２３に取り付けられる。ガイド体１４はロードチェーン４と伸縮被覆体９間に数本設けられ、巻取装置１２に設けた巻取ローラ１２ｂ、１２ｃにより、ロードチェーン４の巻上げ巻下げ動作に同調して自動的に上下動するように、巻取装置１２により常時巻取り方向にテンションが加えられてる。ガイド体１４は４本設けるのが好ましい。伸縮被覆体９は、ロードチェーン４の巻上げ巻下げ動作により、下フック７の下降位置から上昇位置間でジャバラ状に伸縮する。伸縮被覆体９は、この上下伸縮動作時に、ロードチェーン４と伸縮被覆体９間に設けたガイド体１４によるガイド作用により、ロードチェーン４との接触が防止されるので、伸縮被覆体９の損傷を防止できる。さらに、本実施例によると、ロードチェーンの巻上装置の本体と、ロードチェーンの下端に取設した下フック基部間に、ロードチェーンを被覆する伸縮被覆体を設けた巻上装置における粉塵飛散防止装置において、伸縮被覆体の上部を上部フレーム１０に、下部を下部フレーム１１に取り付け、上部フレームを、巻上装置本体に取設され、上部が開放する箱状体のチリ受け下部に取設し、一体的な伸縮被覆体ユニットを形成し、下部フレームを下フック基部に取設したので、実施例１が有する効果に加えて、巻上機の駆動時に発生する粉塵等をチリ受けで集塵できるので、クリーンルームに好適な巻上機を提供でき、かつ、チリ受けに伸縮被覆体を取り付け、チリ受け及び伸縮被覆体からなる粉塵防止装置全体を一体化したユニットとしたことで、粉塵飛散防止装置を有する粉塵防止装置を既存の巻上装置に簡単に取り付けることができ、部品点数を軽減でき、さらに、チリ受けの上部を開放したので、巻取装置を容易に目視でき、故障の有無を容易に発見できる粉塵飛散防止装置を提供できる。
【００２０】
なお、本実施例２は、上方が開放する箱状のチリ受けを採用しているが、このチリ受けの上端部を巻上装置本体に密着して設けるとより一層の粉塵飛散防止が可能となり、また、伸縮被覆体の一部または全部に高性能排気フィルタ−（ヘパフィルター）を用いたり、チェーン収納バケットの内部またはチリ受けに集塵機を付設すると粉塵飛散防止装置としてより好適である。
【産業上の利用可能性】
【００２１】
本発明の巻上装置における粉塵飛散防止装置は、ロードチェーンを巻上下げする巻上装置の本体と、ロードチェーンの下端に取設した下フック基部間に、ロードチェーンを被覆する伸縮被覆体を設けた巻上装置における粉塵飛散防止装置において、伸縮被覆体の上部を上部フレームに、下部を下部フレームに取り付け、上部フレームを巻上装置本体に取り付けられる取付けフレームに取設し、一体的な伸縮被覆体ユニットとして連設し、巻上装置への取り付けを容易としたため、高所における巻上装置への取り付けにおいて有利である。
【図面の簡単な説明】
【００２２】
【図１】本発明の実施例１の巻上装置の正面図。
【図２】図１の側面図。
【図３】伸縮被覆体ユニットを示す正面図。
【図４】図３の側面図。
【図５】下フック取付部を示す側面図。
【図６】チェーン収納バケットを示す側面図。
【図７】本発明の実施例２の巻上装置の正面図。
【図８】図７の側面図。
【図９】図７のチリ受け部の平面図。
【図１０】巻取りローラの他の形態を示す正面図。
【図１１】従来例を示す拡大正面図。
【符号の説明】
【００２３】
１      レール
２      トロリ
３      ホイスト
４      ロードチェーン
５      トロリ用モータ
６      ホイスト駆動用モータ
７      下フック
８      ロードシーブ
９      伸縮被覆体
１０    上部フレーム
１１    下部フレーム
１２ａ、１２ｂ、１２ｃ  巻取装置
１３    取付けフレーム
１４    ガイド体
１５    下部ブラケット
１６    係止部
１７    取付金具
１８    取付けボルト
１９    ガイドローラ
１９ａ  ガイドローラ
２０    取付ブラケット
２１    無負荷チェーン収納バケット
２１ａ  チェーンバケット縁部
２１ｂ  チェーンバケット取付部
２２    バケット取着ブラケット
２３    チリ受け
２３ａ  リブ
２４    支持ブラケット
２５    開口部
２６    取付用ブラケット
２６ａ  取付部
２７  電装品カバー
２８  モータカバー
【図１】
0004660149.tif 000002
【図２】
0004660149.tif 000003
【図３】
0004660149.tif 000004
【図４】
0004660149.tif 000005
【図５】
0004660149.tif 000006
【図６】
0004660149.tif 000007
【図７】
0004660149.tif 000008
【図８】
0004660149.tif 000009
【図９】
0004660149.tif 000010
【図１０】
0004660149.tif 000011
【図１１】
0004660149.tif 000012